(57)【特許請求の範囲】
【請求項１】
本体が背面側から挿入されるケースの前面に２極型又は４極型のリレーが着脱自在に装着されるリレー装着部を形成し、本体前面に、４極型のリレーの出力端子のそれぞれが挿入される端子用挿入孔と、各出力端子に接続すべき配線のそれぞれが挿入される配線結線部と、のそれぞれを４極型のリレーにおける出力端子の極ごとの配列方向に平行に４列に配列して形成するとともに、各端子用挿入孔と各配線結線部との間を個別に連通する端子板収納部を形成したリレーソケットにおいて、
前記本体が、４列の端子用挿入孔及び配線結線部のうちで内側の２列の端子用挿入孔及び配線結線部を端子板収納部とともに含む中央部分を他の部分に対して着脱自在にしたことを特徴とするリレーソケット。
【請求項２】
前記本体は、中央部分を他の部分に対して前面側から着脱自在にするとともに、端子用挿入孔、配線結線部及び端子板収納部が中央部分の両側面及び他の部分の両側面に開放する凹部であることを特徴とする請求項１に記載のリレーソケット。
【請求項３】
前記本体の他の部分は、コイル端子についての端子用挿入孔、配線結線部及び端子板収納部を含むことを特徴とする請求項１又は２に記載のリレーソケット。
【発明の詳細な説明】
【０００１】
【発明の属する技術分野】
この発明は、制御盤内に配置され、２極型又は４極型のリレーが選択的に装着されるリレーソケットに関する。
【０００２】
【従来の技術】
一般に、大型の装置や複数の装置を制御する制御盤内において、プログラマブルコントローラと制御対象の装置とはリレーを介して接続されている。制御対象の装置が大型化、複数化するにしたがって、制御盤内に配置されるリレー数も増加し、リレーに対する結線作業が煩雑化する。このため、従来より、制御盤内におけるリレーに対する結線作業を簡略化して誤配線を防止すべく、リレーソケットが用いられている。
【０００３】
このリレーソケットは、リレー端子と配線とを接続する端子板を備えた本体とリレーが装着されるリレー装着部を形成したケースとからなる。本体にはケースの端子用貫通孔を貫通したリレー端子が挿入される端子用挿入孔、ケースの配線用貫通孔を貫通した配線が挿入される配線用挿入孔とケースの工具用貫通孔を貫通した工具が挿入される工具用挿入孔とを含む配線結線部、及び、端子用挿入孔と配線結線部との間を連通する端子板収納部が形成されている。
【０００４】
端子板収納部に収納される端子板は、導電体を素材として略コの字型に成形されており、端子用挿入孔内に位置する一端に端子を挟持する接触片が固定され、配線結線部内に位置する他端に配線を挟持するクランプバネが固定されている。
【０００５】
ケースのリレー装着部にリレーを装着すると、端子用貫通孔を貫通した各リレー端子が端子用挿入孔内において接触片によって挟持される。ケースの配線用貫通孔を貫通した配線は、配線結線部の配線用挿入孔内においてクランプバネによって挟持される。クランプバネによる配線の挟持状態は、ケースの工具用貫通孔を貫通した工具が配線結線部の工具用挿入孔内においてクランプバネを押圧することによって解除される。
【０００６】
一方、リレーには、筐体の寸法形状が同一でありながら、２組の出力端子を備えた２極型のリレーと４組の出力端子を備えた４極型のリレーとがあり、これらは、状況に応じて同一のリレーソケットに適宜選択的に装着される。リレーには、一般に、ノーマルクローズ（ＮＣ）、ノーマルオープン（ＮＯ）及びコモンの３個の出力端子を１組として各組ごとに１列に配置されており、これに、コイル入力用のコイル端子が加わる。４極型のリレーでは４列の出力端子と２個のコイル端子が設けられており、２極型のリレーでは４極型のリレーにおける４列の出力端子のうちで内側の２列を除いた外側の２列の出力端子と２個のコイル端子が設けられている。
【０００７】
このような２極型のリレーと４極型のリレーとが択一的に装着されるリレーソケットでは、各端子に配線を接続するための端子板を８個又は１４個備える必要があり、配線作業の簡略化のためにはリレーの各端子と背面の挿入位置との対応関係が明確であることが好ましい。また、端子板の両端には接触片及びクランプバネが固定されているために端子板を本体の前面側又は背面側から収納することはできない。
【０００８】
そこで、従来のリレーソケットとして、図４に示すように、リレーにおける各組の出力端子が構成する列方向に平行な中心線で本体１０１及び１０２に２分割に構成し、４極型のリレーに使用される場合には、分割された２つの本体１０１及び１０２における４側面のそれぞれから各組の出力端子に対応した端子板１１１〜１１４を端子板収納部に挿入するようにしたものがある。一方、２極型のリレーに使用される場合には、内側の２組の出力端子に対応した端子板１１１〜１１３は不要であるため、分割された２つの本体１０１及び１０２において互いに対向する内側面には端子板１１１〜１１３は挿入されない。なお、コイル端子用の２個の端子板１１４は、装着されるリレーが２極型であるか４極型であるかに拘らず不可欠であるため、分割された２個の本体の各外側面において端子用挿入部１２１〜１２４を挟んで配線用挿入孔１３１ａ〜１３３ａ及び工具用挿入孔１３１ｂ〜１３３ｂ（配線結線部１３１〜１３３）の端子板収納部１４１〜１４３とは反対側の位置に形成された端子板収納部１４４に挿入される。このようにして、必要数の端子板を端子板収納部に挿入した状態で２個の本体１０１及び１０２をケース内に背面側から挿入する。
【０００９】
【発明が解決しようとする課題】
しかしながら、リレーにおける各組の出力端子が構成する列方向に平行な中心線で本体を２分割に構成した従来のリレーソケットでは、使用されるリレーが２極型と４極型との間で変化した場合に端子板の着脱作業が必要になってリレーの交換作業が煩雑化するとともに、準備すべき部品の種類が多くなることによって組立作業及び部品管理が煩雑化する問題がある。
【００１０】
即ち、上記従来のリレーソケットでは、使用されるリレーが２極型であるか４極型であるかに拘らず分割された２個の本体の両方が常に用いられ、２個の本体における４側面の全てに端子板を収納するか、又は、２個の本体における２つの外側面にのみ端子板を収納するかにより、４極型のリレーが使用される場合と２極型のリレーが使用される場合とのそれぞれに対応するようにしている。
【００１１】
このため、４極型のリレーに使用されていたリレーソケットを２極型のリレーに使用する場合には、不要な内側２列の端子板を２個の本体のそれぞれの内側面から取り外す必要がある。一方、２極型のリレーに使用されていたリレーソケットを４極型のリレーに使用する場合には、２個の本体のそれぞれの内側面に端子板を収納しなければならない。このように、使用されるリレーが２極型と４極型との間で変化した場合に煩雑な端子板の着脱作業が必要になってリレーの交換作業が煩雑化する。
【００１２】
また、リレーソケットの製造段階では、２極型のリレーに使用されるリレーソケット用として互いの内側面に端子板を収納していない２個１組の本体と、４極型のリレーに使用されるリレーソケット用として互いの内側面に端子板を収納した２個１組の本体と、の２個を１組とする２種類の本体部品を準備する必要があり、組立作業及び部品管理が煩雑化する。
【００１３】
この発明の目的は、リレーにおける４列の出力端子のそれぞれに対応した４組の端子板の全てを側面方向から挿入できる状態で、内側の２列分の端子板収納部を含む部分を他の部分に対して着脱自在にすることにより、使用されるリレーが２極型と４極型との間で変化した場合にも端子板の着脱作業を必要とせず、リレーの交換作業を簡略化することができるとともに、準備すべき部品の種類を単一化して組立作業及び部品管理を簡略化することができるリレーソケットを提供することにある。
【００１４】
【課題を解決するための手段】
上記の課題を解決するための手段として、この発明は、以下の構成を備えている。
【００１５】
（１）本体が背面側から挿入されるケースの前面に２極型又は４極型のリレーが着脱自在に装着されるリレー装着部を形成し、本体前面に、４極型のリレーの出力端子のそれぞれが挿入される端子用挿入孔と、各出力端子に接続すべき配線のそれぞれが挿入される配線結線部と、のそれぞれを４極型のリレーにおける出力端子の極ごとの配列方向に平行に４列に配列して形成するとともに、各端子用挿入孔と各配線結線部との間を個別に連通する端子板収納部を形成したリレーソケットにおいて、
前記本体が、４列の端子用挿入孔及び配線結線部のうちで内側の２列の端子用挿入孔及び配線結線部を端子板収納部とともに含む中央部分を他の部分に対して着脱自在にしたことを特徴とする。
この構成においては、４列の端子用挿入孔及び配線結線部が形成された本体において、内側の２列の端子用挿入孔及び配線結線部を端子板収納部とともに含む中央部分が、外側の２列の端子用挿入孔及び配線結線部を含む他の部分に対して着脱される。したがって、２極型のリレーに使用する場合には中央部分を装着しない本体の他の部分のみを用いるとともに、４極型のリレーに使用する場合には中央部分を装着した本体を用い、本体の中央部分を他の部分に装着するか否かによって４極型のリレー及び２極型のリレーのそれぞれに適合する。
【００１６】
（２）前記本体は、中央部分を他の部分に対して前面側から着脱自在にするとともに、端子用挿入孔、配線結線部及び端子板収納部が中央部分の両側面及び他の部分の両側面に開放する凹部であることを特徴とする。
【００１７】
この発明においては、４列の端子用挿入孔及び配線結線部が形成された本体において、内側の２列の端子用挿入孔及び配線結線部を端子板収納部とともに含む中央部分が外側の２列の端子用挿入孔及び配線結線部を含む他の部分に対して前面側から着脱され、内側の２列の端子用挿入孔、配線結線部及び端子板収納部が中央部分の両側面に開放するとともに、外側の２列の端子用挿入孔、配線結線部及び端子板収納部が他の部分の両側面に開放する。したがって、本体の他の部分の前面側から中央部分を取り外すと中央部分の両側面が外部に露出し、露出した中央部分の両側面において外部に開放された端子用挿入孔、配線結線部及び端子板収納部に対して側面側から内側の２列の端子及び配線を導通させる端子板が収納される。また、常に外部に露出している他の部分の両側面において外部に開放された端子用挿入孔、配線結線部及び端子板収納部に対して側面側から外側の２列の端子及び配線を導通させるべき端子板が収納される。
【００１８】
（３）前記本体の他の部分は、コイル端子についての端子用挿入孔、配線結線部及び端子板収納部を含むことを特徴とする。
【００１９】
この構成においては、コイル端子についての端子用挿入孔、配線結線部及び端子板収納部が本体の他の部分に形成され、中央部分とともに他の部分から分離することがない。したがって、中央部分が取り外された他の部分のみで２極型のリレーに使用される場合にもリレーのコイル端子に対する配線が確実に結線される。
【００２０】
【発明の実施の形態】
図１は、この発明の実施形態に係るリレーソケットの組立図である。また、図２及び図３は、この発明の実施形態に係るリレーソケットを構成する本体中央部材及び本体外側部材の外観図である。この発明の実施形態に係るリレーソケット１０は、ケース１、本体中央部材（この発明の本体の中央部分に相当する。）２及び本体外側部材（この発明の本体の他の部分に相当する。）３によって構成される。本体中央部材２は、本体外側部材３の前面側から本体外側部材３の中央に形成された凹部３ａに着脱自在にされている。本体外側部材３は、本体中央部材２を装着した状態、又は、装着していない状態で、ケース１の背面側からケース１の内部に収納される。
【００２１】
ケース１は背面において開放した中空の筐体であり、前面の上側には上下３段を１組とする出力端子用の結線用貫通部１１〜１３が左右方向に４列に形成されている。各結線用貫通部１１〜１３は同一の形状を呈しており、一例として結線用貫通部１１は上側の配線用貫通孔１１ａと下側の工具用貫通孔１１ｂとによって構成されている。配線用貫通孔１１ａには、ケース１の前面に装着されたリレー４０の各出力端子に接続されるべき配線が貫通する。また、工具用貫通孔１１ｂには、配線を挟持する後述の端子板のクランプバネを操作する工具が貫通する。
【００２２】
１組の結線用貫通部１１〜１３はリレー４０における各極の出力端子に対応している。即ち、リレー４０には、１極ごとにノーマルクローズ（ＮＣ）、ノーマルオープン（ＮＯ）及びコモンの合計３本の出力端子が設けられている。したがって、４極型のリレーでは上下３本を１組として左右方向に４列の出力端子が設けられており、２極型のリレーでは上下３本を１組として左右方向に２列の出力端子が設けられている。リレーソケット１０は同一の外形寸法を呈する４極型のリレー又は２極型のリレーを択一的に装着することができるようにしたものであり、ケース１には２極型のリレーより多い４極型のリレーの出力端子数と同じ１２個の結線用貫通部１１〜１３が形成されている。
【００２３】
ケース１の前面において結線用貫通部１１〜１３の下方には、リレー装着部１４が形成されている。このリレー装着部１４にリリースレバー１６を介してリレー４０が装着される。リレー装着部１４においてリレー４０の底面に対向する部分には、図示しない端子用貫通孔が形成されている。この端子用貫通孔には、リレー４０の底面から突出した出力端子及びコイル端子が貫通する。したがって、ケース１には、２極型のリレーより多い４極型のリレーの端子数（１２本の出力端子と２本のコイル端子との合計１４本）と同数の１４個の端子用貫通孔が形成されている。
【００２４】
ケース１の前面においてリレー装着部１４のさらに下方には、コイル端子用の結線用貫通部１５が左右２箇所（左側の結線用貫通部１５は図１には現れない。）に形成されている。結線用貫通部１５は、結線用貫通部１１〜１３とは逆に、下側の配線用貫通孔１５ａと上側の工具用貫通孔１５ｂとからなり、配線用貫通孔１５ａにはリレー４０のコイル端子に接続されるべき配線が貫通し、工具用貫通孔１５ｂにはクランプバネを操作する工具が貫通する。
【００２５】
本体中央部材２の前面の上側には、上下３段を１組とする出力端子用の配線結線部２１〜２３が、ケース１における内側の２列の結線用貫通部１１〜１３に対向するようにして、左右方向に２列に形成されている。各配線結線部２１〜２３は互いに同一の形状を呈しており、一例として配線結線部２１は上側の配線用挿入孔２１ａと下側の工具用挿入孔２１ｂとによって構成されている。配線用挿入孔２１ａには、ケース１の配線用貫通孔１１ａを貫通した配線が挿入される。また、工具用挿入孔１１ｂには、ケース１の工具用貫通孔１１ｂが貫通した工具が挿入される。配線結線部２１〜２３のそれぞれにおいて、配線用挿入孔２１ａ〜２３ａ及び工具用挿入孔２１ｂ〜２３ｂは２個ずつ形成されている。制御盤内で複数のリレーソケット１０が隣接して取り付けられる場合に、隣り合うリレーソケット１０間でリレー端子同士を接続する所謂渡り配線等に対応するためである。
【００２６】
１組の配線結線部２１〜２３は、ケース１における結線用貫通部１１〜１３と同様に、リレー４０における各極の出力端子に対応している。本体中央部材２には、４極型リレーの内側２列の出力端子数と同じ６個の配線結線部２１〜２３が形成されている。
【００２７】
本体中央部材２の前面において配線結線部２１〜２３の下方には、上下３段を１組とする端子用挿入孔２４〜２６が左右方向に２列に形成されている。端子用挿入孔２４〜２６は、ケース１のリレー装着部１４に形成された内側２列の端子用貫通孔に対向する。端子用挿入孔２４〜２６には、端子用貫通孔を貫通したリレー４０の入力端子が挿入される。
【００２８】
本体中央部材２の両側面には、配線結線部２１〜２３、端子用挿入孔２４〜２６及び端子板収納部２７〜２９が開放している。端子板収納部２７〜２９は、配線結線部２１〜２３のそれぞれと端子用挿入孔２４〜２６のそれぞれとを連通する。端子板収納部２７〜２９には、端子板５１〜５３が側面側から収納される。端子板５１〜５３は、帯板状の金属材料を２箇所において略直角に屈曲したコの字型を呈し、一端部に接触片７が固定され、他端部にクランプバネ６が固定されている。端子板５１〜５３を端子板収納部２７〜２９に収納すると、クランプバネ６を含む他端部が配線結線部２１〜２３内に収納され、接触片７を含む一端部が端子用挿入孔２４〜２６内に収納される。
【００２９】
本体外側部材３の前面の上側には、上下３段を１組とする出力端子用の配線結線部３１〜３３が、ケース１における外側２列の結線用貫通部１１〜１３に対向するようにして、左右方向に間隔を設けて２列に形成されている。各配線結線部３１〜３３は本体中央部材２における配線結線部２１〜２３と同一の形状を呈しており、一例として配線結線部３１において、上側の配線用挿入孔３１ａにケース１の配線用貫通孔３１ａを貫通した配線が挿入される点、下側の工具用挿入孔３１ｂにケース１の工具用貫通孔３１ｂが貫通した工具が挿入される点、配線用挿入孔３１ａ〜３３ａ及び工具用挿入孔３１ｂ〜３３ｂが２個ずつ形成される点、及び、１組の配線結線部３１〜３３がリレー４０における各極の出力端子に対応している点で本体中央部材２における配線結線部２１〜２３と同様である。本体外側部材３には、４極型リレーの外側２列の出力端子数、及び、２極型リレーの出力端子数と同じ６個の配線結線部３１〜３３が形成されている。
【００３０】
本体外側部材３の前面において配線結線部３１〜３３の下方には、上下４段を１組とする端子用挿入孔３４〜３７が左右方向に間隔を設けて２列に形成されている。端子用挿入孔３４〜３７は、ケース１のリレー装着部１４に形成された外側の２列の端子用貫通孔に対向する。端子用挿入孔３４〜３６には端子用貫通孔を貫通したリレー４０の出力端子が挿入され、端子用挿入孔３７には端子用貫通孔を貫通したリレー４０のコイル端子が挿入される。
【００３１】
本体外側部材３の前面において端子用挿入孔３４〜３７のさらに下方には、コイル端子用の配線結線部３８が左右２箇所に形成されている。配線結線部３８は、ケース１に形成された結線用貫通部１５に対向する。配線結線部３８は、結線用貫通部３１〜３３とは逆に、下側の配線用貫通孔３８ａと上側の工具用貫通孔３８ｂとからなり、配線用貫通孔３８ａにはリレー４０のコイル端子に接続されるべき配線が貫通し、工具用貫通孔３８ｂにはクランプバネを操作する工具が貫通する。
【００３２】
本体外側部材３の両側面には、配線結線部３１〜３３、端子用挿入孔３４〜３７、配線結線部３８及び端子板収納部４１〜４４が開放している。端子板収納部４１〜４４は、配線結線部３１〜３３及び配線結線部３８のそれぞれと端子用挿入孔３４〜３７のそれぞれとを連通する。端子板収納部４１〜４４には、端子板６１〜６４が側面側から収納される。端子板６１〜６４は、帯板状の金属材料を２箇所において略直角に屈曲したコの字型を呈し、一端部に接触片７が固定され、他端部にクランプバネ６が固定されている。端子板６１〜６４を端子板収納部４１〜４４に収納すると、クランプバネ６を含む他端部が配線結線部３１〜３３及び配線結線部３８内に収納され、接触片７を含む一端部が端子用挿入孔３４〜３７内に収納される。
【００３３】
本体外側部材３には、前面側に開放した凹部３ａが形成されている。凹部３ａは、２列の配線結線部３１〜３３の間、及び、２列の端子用挿入孔３４〜３７の間に位置している。この凹部３ａに対して、本体中央部材２が本体外側部材３の前面側から着脱自在に装着される。本体外側部材３は、凹部３ａに本体中央部材２が装着された状態、又は、凹部３ａに本体中央部材２が装着されていない状態でケース１の内部に挿入される。
【００３４】
本体外側部材３の凹部３ａに本体中央部材２を一体的に装着した状態では、左右方向に４列の配線結線部２１〜２３及び３１〜３３が形成されるとともに、その下方に左右方向に４列の端子用挿入孔２４〜２６及び３４〜３７が形成される。ケース１のリレー装着部１４に４極型のリレー４０が装着された場合に、リレー４０の背面に突出した１４本の端子のそれぞれが、端子用挿入孔２４〜２６及び端子用挿入孔３４〜３７内で端子板５１〜５３及び端子板６１〜６４の一端に固定された接触片７に挟持される。配線用挿入孔２１ａ〜２３ａ、配線用挿入孔３１ａ〜３３ａ及び配線用挿入孔３８ａに挿入された配線は、端子板５１〜５３及び端子板６１〜６４の他端に固定されたクランプバネ６によって挟持される。したがって、リレー４０の１４本の端子は、端子板５１〜５３及び端子板６１〜６４を介して配線用挿入孔２１ａ〜２３ａ、配線用挿入孔３１ａ〜３３ａ及び配線用挿入孔３８ａのそれぞれに挿入された配線に電気的に接続される。
【００３５】
また、本体外側部材３の凹部３ａに本体中央部材２を装着していない状態では、左右方向に２列の配線結線部３１〜３３のみが備えられ、その下方に左右方向に２列の端子用挿入孔３４〜３７が備えられる。ケース１のリレー装着部１４に２極型のリレー４０が装着された場合に、リレー４０の背面に突出した８本の端子のそれぞれが、端子用挿入孔３４〜３７内で端子板６１〜６４の一端に固定された接触片７に挟持される。配線用挿入孔３１ａ〜３３ａ及び配線用挿入孔３８ａに挿入された配線は、端子板６１〜６４の他端に固定されたクランプバネ６によって挟持される。したがって、リレー４０の８本の端子は、端子板６１〜６４を介して配線用挿入孔３１ａ〜３３ａ及び配線用挿入孔３８ａのそれぞれに挿入された配線に電気的に接続される。
【００３６】
以上のように、この発明の実施形態に係るリレーソケット１０においては、リレー装着部１４に装着されるリレーが４極型であるか２極型であるかに応じて本体外側部材３の凹部３ａ内に本体中央部材２を装着するか否かを選択することにより、リレーソケット１０が使用されるリレーの端子数に応じた配線の結線状態を実現することができる。このため、リレーソケット１０を構成する部品としては、端子板５１〜５３を端子板収納部２７〜２８に収納した状態の本体中央部材２と端子板６１〜６４を端子板収納部４１〜４４に収納した状態の本体外側部材３とを準備しておけばよく、端子板５１〜５３又は端子板６１〜６４が収納されていない状態の本体中央部材２又は本体外側部材３を準備する必要がないため、製造工程における部品点数が少なくなって組立作業及び部品管理を簡略化することができる。また、使用されるリレーが４極型と２極型との間で変更された場合でも、本体外側部材３の凹部３ａ内に本体中央部材２を装着するか否かの状態を切り換えることによって容易に対応できる。
【００３７】
また、本体外側部材３から本体中央部材２を取り外すと本体中央部材２の両側面が外部に露出し、露出した本体中央部材２の両側面において外部に開放された配線結線部２１〜２３、端子用挿入孔２４〜２６及び端子板収納部２７〜２９に対して側面側から４極型のリレーにおける内側２列の端子に配線を接続する端子板５１〜５３が容易に収納される。また、常に外部に露出している本体外側部材３の両側面において外部に開放された配線結線部３１〜３３、端子用挿入孔３４〜３７、配線結線部３８及び端子板収納部４１〜４４に対して側面側からリレーにおける外側２列の端子に配線を接続する端子板６１〜６４が容易に収納される。
【００３８】
さらに、コイル端子についての端子用挿入孔３７、配線結線部３８及び端子板収納部４４が本体外側部材３に形成され、これらの部位は本体中央部材２が本体外側部材３から取り外された場合でも本体外側部材３から分離することがない。したがって、本体中央部材２が取り外された本体外側部材３のみで２極型のリレーに使用される場合にもリレーのコイル端子に対して配線を確実に結線できる。
【００３９】
【発明の効果】
この発明によれば、以下の効果を奏することができる。
【００４０】
（１）４列の端子用挿入孔及び配線結線部を形成した本体において、内側２列の端子用挿入孔及び配線結線部を端子板収納部とともに含む中央部分を、外側２列の端子用挿入孔及び配線結線部を含む他の部分に対して着脱できるようにすることにより、２極型のリレーに使用する場合には中央部分を装着しない本体の他の部分のみを用いるとともに、４極型のリレーに使用する場合には中央部分を装着した本体を用い、本体の中央部分を他の部分に装着するか否かによって４極型のリレー及び２極型のリレーのそれぞれに適合させることができる。
【００４１】
これによって、使用されるリレーが２極型と４極型との間で変化した場合にも端子板の着脱作業を必要とせず、リレーの交換作業を簡略化することができるとともに、準備すべき部品の種類を単一化して組立作業及び部品管理を簡略化することができる。
【００４２】
（２）４列の端子用挿入孔及び配線結線部を形成した本体において、内側２列の端子用挿入孔及び配線結線部を端子板収納部とともに含む中央部分が外側２列の端子用挿入孔及び配線結線部を含む他の部分に対して前面側から着脱されるようにし、内側２列の端子用挿入孔、配線結線部及び端子板収納部を中央部分の両側面に開放させるとともに、外側２列の端子用挿入孔、配線結線部及び端子板収納部が他の部分の両側面に開放させることにより、本体の他の部分の前面側から中央部分を取り外した状態で中央部分の両側面において外部に開放した端子板収納部に対して側面側から内側２列の端子及び配線を導通させる端子板を収納することができる。また、常に外部に露出している他の部分の両側面において外部に開放された端子板収納部に対してもその側面側から外側２列の端子及び配線を導通させるべき端子板を収納することができる。
【００４３】
（３）前記コイル端子についての端子用挿入孔、配線結線部及び端子板収納部を本体の他の部分に形成し、中央部分とともに他の部分から分離することがないようにすることにより、中央部分が取り外された他の部分のみで２極型のリレーに使用される場合にもリレーのコイル端子に配線を確実に結線できる。
【図面の簡単な説明】
【図１】この発明の実施形態に係るリレーソケットの組立図である。
【図２】この発明の実施形態に係るリレーソケットを構成する本体中央部材の外観図である。
【図３】この発明の実施形態に係るリレーソケットを構成する本体外側部材の外観図である。
【図４】従来のリレーソケットに用いられる本体の構成を示す正面図、側面図及び平面図である。
【符号の説明】
１−ケース
２−本体中央部材（本体の中央部分）
３−本体外側部材（本体の外側部分）
３ａ−凹部
１０−リレーソケット
１１〜１３，１５−結線用貫通部
１１ａ〜１３ａ，１５ａ−配線用貫通孔
１１ｂ〜１３ｂ，１５ｂ−工具用貫通孔
１４−リレー装着部
２１〜２３，３１〜３３，３８−配線結線部
２１ａ〜２３ａ，３１ａ〜３３ａ，３８ａ−配線用挿入孔
２１ｂ〜２３ｂ，３１ｂ〜３３ｂ，３８ｂ−工具用挿入孔
２４〜２６，３４〜３７−端子用挿入孔
２７〜２９，４１〜４４−端子板収納部
５１〜５３，６１〜６４−端子板
４０−リレー
【図１】
0003828027.tif 000002
【図２】
0003828027.tif 000003
【図３】
0003828027.tif 000004
【図４】
0003828027.tif 000005